(57)【要約】【課題】顆粒状パウダーの粉化防止と安定供給の両立が図れ、安定した鋳造を実施可能な連続鋳造用モールドパウダーの粉化防止方法を提供する。【解決手段】連続鋳造に用いる顆粒状パウダーを、顆粒状パウダーを貯蔵する貯蔵ホッパー１１から搬送用スクリューコンベア１８を介して中継ホッパー１５に搬送し、中継ホッパー１５から切出し用スクリューコンベア１６、投入ホッパー２０及び投入シュート２１を介して鋳型内へ所定量ずつ供給する際の連続鋳造用モールドパウダーの粉化防止方法であって、切出し用スクリューコンベア１６の搬送距離を、搬送用スクリューコンベア１８の搬送距離よりも短くし、搬送用スクリューコンベア１８を短時間の高速運転にして、貯蔵ホッパー１１から鋳型内に供給される顆粒状パウダーの粉化を抑制する。【選択図】図１
2010269354.tif 000002
【特許請求の範囲】
【請求項１】
連続鋳造に用いる顆粒状パウダーを、顆粒状パウダーを貯蔵する貯蔵ホッパーから搬送用スクリューコンベアを介して中継ホッパーに搬送し、該中継ホッパーから切出し用スクリューコンベア、投入ホッパー及び投入シュートを介して鋳型内へ所定量ずつ供給する際の連続鋳造用モールドパウダーの粉化防止方法であって、
前記切出し用スクリューコンベアの搬送距離を、前記搬送用スクリューコンベアの搬送距離よりも短くし、該搬送用スクリューコンベアを短時間の高速運転にして、前記貯蔵ホッパーから前記鋳型内に供給される顆粒状パウダーの粉化を抑制することを特徴とする連続鋳造用モールドパウダーの粉化防止方法。
【請求項２】
請求項１記載の連続鋳造用モールドパウダーの粉化防止方法において、前記切出し用スクリューコンベアの搬送距離を７ｍ以下にすることを特徴とする連続鋳造用モールドパウダーの粉化防止方法。
【請求項３】
請求項２記載の連続鋳造用モールドパウダーの粉化防止方法において、前記搬送用スクリューコンベアは、２分以上５分以下の短時間運転を行い、しかも顆粒状パウダーの搬送量を１分あたり１ｋｇ以上２０ｋｇ以下とする高速運転を行うことを特徴とする連続鋳造用モールドパウダーの粉化防止方法。
【請求項４】
請求項３記載の連続鋳造用モールドパウダーの粉化防止方法において、前記鋳型内へ供給される顆粒状パウダーの粉化率を１５質量％以下にすることを特徴とする連続鋳造用モールドパウダーの粉化防止方法。
【請求項５】
請求項１〜４のいずれか１項に記載の連続鋳造用モールドパウダーの粉化防止方法において、前記搬送用スクリューコンベアは複数のスクリューコンベアで構成され、しかも隣合う該スクリューコンベアの間に連結ホッパーが配置されており、前記隣合うスクリューコンベアの運転を前記連結ホッパーを境に別々にすることを特徴とする連続鋳造用モールドパウダーの粉化防止方法。
【発明の詳細な説明】
【技術分野】
【０００１】
本発明は、連続鋳造設備の鋳型内へ供給する連続鋳造用モールドパウダーの粉化防止方法に関する。
【背景技術】
【０００２】
従来、連続鋳造設備の鋳床スペースを確保するため、顆粒状パウダーの貯蔵ホッパーを、連続鋳造用鋳型（以下、単に鋳型ともいう）の周辺から離れた場所に設置し、顆粒状パウダーを貯蔵ホッパーから直列配置された複数の搬送管を用いて鋳型内へ供給している。
例えば、特許文献１には、鋳造パウダーの散布装置の搬送管を直列に２本連通接続し、搬送管と移送管及び搬送管相互を水平旋回自在に連結すると共に、各連結部に駆動モータを設け、連通接続した搬送管の最先端にこれと屈曲させて散布ノズルを接続した鋳造パウダー供給装置が開示されている。
また、特許文献２には、貯蔵タンクから切出されたパウダーを撹拌した後、このパウダーをパウダー供給部へ圧送し、複数本に分岐した散布ノズルへパウダーを供給すると共に、パウダー切替え時にパウダー供給部に残存するパウダーを回収して、貯蔵タンクへ返却可能とする連続鋳造用パウダーの供給装置が開示されている。
そして、特許文献３には、粉体貯留ホッパー、第１貯蔵容器、第２貯蔵容器、及び機械的供給機を有し、第１貯蔵容器と第２貯蔵容器を着脱可能な継ぎ手で繋いだ連続鋳造における粉体供給装置が開示されている。
【先行技術文献】
【特許文献】
【０００３】
【特許文献１】特開平１１−２８５７９６号公報
【特許文献２】特開平１−１１８３５０号公報
【特許文献３】特開平１−２１５４４９号公報
【発明の概要】
【発明が解決しようとする課題】
【０００４】
しかしながら、前記特許文献１〜３のいずれの技術も、パウダーの搬送に気流搬送を採用しているため、顆粒状パウダーを搬送するに際しては、顆粒状パウダーが搬送管内面に衝突して粉化し、搬送管内に詰まりが発生して、顆粒状パウダーの安定供給を実現できなかった。更に、このように粉化した顆粒状パウダーを鋳型内に供給した場合、滓化性及び潤滑性や保温性が不安定になるという問題もあった。
なお、特許文献１については、パウダーの搬送にスクリューフィーダを用いることの記載もあるが、顆粒状パウダーをスクリューフィーダを用いて遠距離搬送する場合、鋳造状況に応じてスクリューフィーダを極短時間で間欠運転すると、スクリューとこれを内蔵するパイプ内面との間で顆粒状パウダーが噛み込まれて粉化する。このため、このように粉化された顆粒状パウダーを鋳型内に投入した際に、顆粒状パウダーの溶融特性が変化して、鋳型内面の潤滑が不安定となり、操業トラブルが発生する懸念があった。
以上のように、前記従来の技術では、顆粒状パウダーの粉化防止と、詰まり防止による安定供給との両立を図れなかった。
【０００５】
本発明はかかる事情に鑑みてなされたもので、顆粒状パウダーの粉化防止と安定供給の両立が図れ、安定した鋳造を実施可能な連続鋳造用モールドパウダーの粉化防止方法を提供することを目的とする。
【課題を解決するための手段】
【０００６】
前記目的に沿う本発明に係る連続鋳造用モールドパウダーの粉化防止方法は、連続鋳造に用いる顆粒状パウダーを、顆粒状パウダーを貯蔵する貯蔵ホッパーから搬送用スクリューコンベアを介して中継ホッパーに搬送し、該中継ホッパーから切出し用スクリューコンベア、投入ホッパー及び投入シュートを介して鋳型内へ所定量ずつ供給する際の連続鋳造用モールドパウダーの粉化防止方法であって、
前記切出し用スクリューコンベアの搬送距離を、前記搬送用スクリューコンベアの搬送距離よりも短くし、該搬送用スクリューコンベアを短時間の高速運転にして、前記貯蔵ホッパーから前記鋳型内に供給される顆粒状パウダーの粉化を抑制する。
【０００７】
本発明に係る連続鋳造用モールドパウダーの粉化防止方法において、前記切出し用スクリューコンベアの搬送距離を７ｍ以下にすることが好ましい。
【０００８】
本発明に係る連続鋳造用モールドパウダーの粉化防止方法において、前記搬送用スクリューコンベアは、２分以上５分以下の短時間運転を行い、しかも顆粒状パウダーの搬送量を１分あたり１ｋｇ以上２０ｋｇ以下とする高速運転を行うことが好ましい。
【０００９】
本発明に係る連続鋳造用モールドパウダーの粉化防止方法において、前記鋳型内へ供給される顆粒状パウダーの粉化率を１５質量％以下にすることが好ましい。
【００１０】
本発明に係る連続鋳造用モールドパウダーの粉化防止方法において、前記搬送用スクリューコンベアは複数のスクリューコンベアで構成され、しかも隣合う該スクリューコンベアの間に連結ホッパーを配置し、前記隣合うスクリューコンベアの運転を前記連結ホッパーを境に別々にしてもよい。
【発明の効果】
【００１１】
本発明に係る連続鋳造用モールドパウダーの粉化防止方法は、搬送用スクリューコンベアと切出し用スクリューコンベアとの間に、中継ホッパーを設けるので、中継ホッパーを境として、その上流側に配置された搬送用スクリューコンベアは中継ホッパー内の顆粒状パウダーの量に応じて、また下流側に配置された切出し用スクリューコンベアは鋳造状況に応じて、それぞれ個別に顆粒状パウダーの搬送ができる。
このとき、切出し用スクリューコンベアを使用して、中継ホッパーから投入ホッパー及び投入シュートを介し、顆粒状パウダーを鋳型内へ所定量ずつ供給すると（即ち、極短時間の間欠運転を行うと）、顆粒状パウダーの粉化率が上昇する。このため、鋳型内へ供給した顆粒状パウダーの溶融速度が不安定になり、湯面表面に不均一な溶融層が形成され、安定的に凝固シェルの形成を促進できず、操業が不安定になる。そこで、搬送用スクリューコンベアを短時間の高速運転とし、切出し用スクリューコンベアの搬送距離を、搬送用スクリューコンベアの搬送距離よりも短くすることで、切出し用スクリューコンベア（極短時間の間欠運転）を使用しても、貯蔵ホッパーから鋳型内に供給される顆粒状パウダーの粉化を抑制でき、その結果、顆粒状パウダーの粉化防止と安定供給の両立が図れる。
従って、顆粒状パウダーを鋳型内へ供給した際の滓化性及び潤滑性や保温性を良好な状態に維持し、安定した鋳造を実施できる。
【００１２】
また、切出し用スクリューコンベアの搬送距離を７ｍ以下にする場合、切出し用スクリューコンベアの運転による顆粒状パウダーの粉化率を、更に低減できる。
そして、搬送用スクリューコンベアの運転時間と顆粒状パウダーの搬送量を規定する場合、搬送用スクリューコンベアの運転による顆粒状パウダーの粉化率を、更に低減できる。
ここで、鋳型内へ供給される顆粒状パウダーの粉化率を１５質量％以下にする場合、粉化率を低減した顆粒状パウダーを鋳型内へ供給できるので、顆粒状パウダーの滓化性及び潤滑性や保温性を、更に良好な状態にできる。
更に、搬送用スクリューコンベアを複数のスクリューコンベアで構成し、その間に連結ホッパーを配置した場合、複数のスクリューコンベアを接続して、顆粒状パウダーの搬送経路を作製できる。これにより、例えば、貯蔵ホッパーから鋳型までの搬送距離が長い場合や、搬送経路の途中に障害物が存在する場合でも、顆粒状パウダーの粉化防止と安定供給の両立を図りながら搬送できる。
【図面の簡単な説明】
【００１３】
【図１】本発明の一実施の形態に係る連続鋳造用モールドパウダーの粉化防止方法を使用する連続鋳造用モールドパウダーの搬送設備の説明図である。
【図２】変形例に係る搬送設備の説明図である。
【図３】運転方法が異なるスクリューフィーダによる顆粒状パウダーの搬送距離とその粉化率との関係を示す説明図である。
【図４】実施例に係る低稼働と高稼動のスクリューフィーダの運転方法を示す説明図である。
【図５】スクリューフィーダの運転方法と顆粒状パウダーの粉化率との関係を示す説明図である。
【発明を実施するための形態】
【００１４】
続いて、添付した図面を参照しつつ、本発明を具体化した実施の形態につき説明し、本発明の理解に供する。
まず、本発明の一実施の形態に係る連続鋳造用モールドパウダーの粉化防止方法を使用する連続鋳造用モールドパウダーの搬送設備について説明した後、連続鋳造用モールドパウダーの粉化防止方法について説明する。
【００１５】
図１に示すように、連続鋳造用モールドパウダーの搬送設備（以下、単に搬送設備ともいう）１０には、連続鋳造に用いる顆粒状パウダーの搬送方向に渡って、貯蔵ホッパー１１、スクリューフィーダ（スクリューコンベアの一例）１２、連結ホッパー１３、スクリューフィーダ（スクリューコンベアの一例）１４、中継ホッパー１５、切出し用スクリューフィーダ（切出し用スクリューコンベアの一例）１６、及び旋回装置１７が、順次設けられている。上記した中継ホッパー１５の上流側に位置する２つのスクリューフィーダ１２、１４は、搬送用スクリューフィーダ（搬送用スクリューコンベアの一例）１８を構成する。なお、各スクリューフィーダ１２、１４及び切出し用スクリューフィーダ１６は、搬送管の内幅やスクリューの構成が同一であるが、異なってもよい。
【００１６】
貯蔵ホッパー１１は、顆粒状パウダーを貯蔵するものである。
この貯蔵ホッパー１１の下端部には、傾斜配置したスクリューフィーダ１２の上流側端部が取付けられ、貯蔵ホッパー１１内の顆粒状パウダーを上方に向けて搬送し、連結ホッパー１３を通過させ、スクリューフィーダ１４で中継ホッパー１５まで搬送している。なお、連結ホッパー１３は、顆粒状パウダーを通過させる機能のみを有するものであるが、顆粒状パウダーを一時貯留する機能を有するものでもよい。この場合、連結ホッパー１３内の顆粒状パウダー量に応じて、隣合うスクリューフィーダ１２、１４の運転を連結ホッパー１３を境に別々にできる。
ここでは、貯蔵ホッパー１１と中継ホッパー１５との間に、２つのスクリューフィーダ１２、１４を配置した場合について説明したが、図２に示すように、貯蔵ホッパー１１に設けられた搬送用スクリューフィーダ（搬送用スクリューコンベアの一例）１９の下流側端部を、中継ホッパー１５に直接接続してもよい（１つのスクリューフィーダを使用）。
【００１７】
中継ホッパー１５は、顆粒状パウダーを一時貯留するものである。
この中継ホッパー１５内には、レベル計（図示しない）が設置されており、中継ホッパー１５内の顆粒状パウダーの貯留量を計測できる。
このように、中継ホッパー１５を設けることで、その上流側のスクリューフィーダ１２、１４は、中継ホッパー１５内の顆粒状パウダーの量に応じて（顆粒状パウダーの貯留量が予め設定した下限値を下回る前に）、貯蔵ホッパー１１から中継ホッパー１５内へ顆粒状パウダーを搬送できる。
また、中継ホッパー１５の下流側の切出し用スクリューフィーダ１６は、鋳造状況に応じて、鋳型内へ顆粒状パウダーを所定量ずつ搬送できる。
【００１８】
旋回装置１７は、顆粒状パウダーが供給される投入ホッパー２０と、この投入ホッパー２０の下部に傾斜させて設けられ、投入ホッパー２０へ供給された顆粒状パウダーを自由落下させて鋳型内の溶鋼表面へ供給する投入シュート２１を有している。
この投入シュート２１は、側面視してくの字状に折れ曲がっているため、投入シュート２１の投入ホッパー２０との接続部分を、その軸心を中心として回動させることで、顆粒状パウダーを鋳型内の溶鋼表面に円弧状に散布できる。
なお、貯蔵ホッパー１１から鋳型の上端部までの距離（顆粒状パウダーの搬送距離）は、例えば、７ｍ以上３０ｍ以下である。ここで、距離が７ｍ未満の場合、鋳型が設置された鋳床の作業スペースを十分に確保できず、一方、距離が３０ｍを超える場合、スクリューフィーダを用いた顆粒状パウダーの遠隔搬送の際に、顆粒状パウダーの粉化率が急上昇する。
【００１９】
続いて、本発明の一実施の形態に係る連続鋳造用モールドパウダーの粉化防止方法について、前記した連続鋳造用モールドパウダーの搬送設備１０を参照しながら説明する。
本発明の一実施の形態に係る連続鋳造用モールドパウダーの粉化防止方法は、連続鋳造に用いる顆粒状パウダーを、顆粒状パウダーを貯蔵する貯蔵ホッパー１１から搬送用スクリューフィーダ１８を介して中継ホッパー１５に搬送し、この中継ホッパー１５から切出し用スクリューフィーダ１６、投入ホッパー２０及び投入シュート２１を介して鋳型内へ所定量ずつ供給するに際し、顆粒状パウダーの粉化を抑制、更には防止する方法である。この顆粒状パウダーは、例えば、内部に空間が形成された中空状のもの等であり、その平均粒径が、２００μｍ以上４００μｍ以下（更には、下限が２５０μｍ、上限が３５０μｍ）程度のものである。以下、詳しく説明する。
【００２０】
まず、中継ホッパー１５の上流側の搬送用スクリューフィーダ１８を構成するスクリューフィーダ１４とスクリューフィーダ１２を順次稼働させることで、顆粒状パウダーを、貯蔵ホッパー１１から中継ホッパー１５へ搬送する。なお、この搬送は、中継ホッパー１５内に設けられたレベル計により、中継ホッパー１５内の顆粒状パウダーの貯留量が予め設定した下限値以下になったことが検知された場合に、自動的に行われる。
これにより、中継ホッパー１５内の顆粒状パウダーの貯留量を回復させることができる。
【００２１】
また、中継ホッパー１５の下流側の切出し用スクリューフィーダ１６を稼働させることで、中継ホッパー１５内の顆粒状パウダーを、投入ホッパー２０へ搬送する。なお、この搬送は、鋳造状況に応じて行う。
これにより、投入シュート２１を投入ホッパー２０の軸心を中心として回動させることで、顆粒状パウダーを、投入ホッパー２０から投入シュート２１を介して、鋳型内へ満遍なく散布できる。
【００２２】
上記したように、中継ホッパー１５へ顆粒状パウダーを搬送する搬送用スクリューフィーダ１８は、中継ホッパー１５内の顆粒状パウダーの貯留量が少なくなってきた場合のみ、その運転を行っている。このため、中継ホッパー１５への顆粒状パウダーの搬送が終了した後に、次に中継ホッパー１５へ顆粒状パウダーを搬送するまでの間隔は長く、各スクリューフィーダ１２、１４の稼働率は低い（以下、低稼働ともいう）。
また、投入ホッパー２０へ顆粒状パウダーを搬送する切出し用スクリューフィーダ１６は、鋳造状況に応じて運転する。このため、顆粒状パウダーの搬送と停止を頻繁に、短時間で間欠的に行う必要があり、切出し用スクリューフィーダ１６の稼働率は極めて高い（以下、高稼働ともいう）。
【００２３】
従って、搬送用スクリューフィーダ１８と切出し用スクリューフィーダ１６との間に中継ホッパー１５を設けることで、中継ホッパー１５を境として、搬送用スクリューフィーダ１８と切出し用スクリューフィーダ１６の運転方法を変更できる。
具体的には、低稼働の搬送用スクリューフィーダ１８は、例えば、１０分以上３０分以下の間隔で１回、２分以上５分以下の短時間運転（即ち、連続運転）で、しかも、顆粒状パウダーの搬送量を、例えば、１分あたり１ｋｇ以上２０ｋｇ以下程度とする高速運転を行う。また、高稼働の切出し用スクリューフィーダ１６は、例えば、１０秒以上１分以下の間隔で１回、１０秒以上１分以下の極短時間運転（即ち、間欠運転）で、しかも、顆粒状パウダーの搬送量を、例えば、１分あたり０．１ｋｇ以上３ｋｇ以下程度で搬送用スクリューフィーダ１８よりも少なくする低速運転を行う。
【００２４】
ここで、スクリューフィーダの運転方法を変えて顆粒状パウダーを搬送した場合の顆粒状パウダーの搬送距離とその粉化率との関係について、図３を参照しながら説明する。
図３は、顆粒状パウダーを連続的に搬送する連続運転モードと、極短時間で間欠的に搬送する間欠運転モードの２つの運転モードについて調査した結果を示している。なお、調査した各運転モードのスクリューの回転数は、９０ｒｐｍ（回／分）と４００ｒｐｍの２つである。
また、図３に示す顆粒状パウダーの粉化率は、搬送後の顆粒状パウダーを、搬送前の顆粒状パウダーの平均粒径よりも細かい篩目を備えた篩にかけ、篩下の顆粒状パウダー（即ち、粉化した顆粒状パウダー）の重さを測り、これを搬送した全顆粒状パウダーの重さで除して求めた。ここでは、搬送前の顆粒状パウダーの平均粒径が３００μｍ程度であったため、篩目の大きさが顆粒状パウダーの平均粒径の７０％以下（ここでは、２１０μｍ）の篩を用いた。
【００２５】
図３に示すように、スクリューフィーダを連続運転した場合、顆粒状パウダーの粉化率は、顆粒状パウダーの搬送距離が長くなるに伴い、緩やかに増加する傾向が見られた。なお、スクリューの回転数を変えることで、粉化率も多少変動しているが、安定した鋳造を実施可能な１０質量％以下に抑えられる。
一方、スクリューフィーダを間欠運転した場合、顆粒状パウダーの粉化率は、顆粒状パウダーの搬送距離が長くなるに伴い、急激に増加する傾向が見られた。なお、スクリューの回転数を速くすることで、粉化率の上昇速度も、更に急激に上昇している。
以上のことから、スクリューフィーダを極短時間で間欠運転した場合は、顆粒状パウダーの粉化率が上昇し、安定した鋳造を実施できない恐れがあることが判った。
【００２６】
そこで、切出し用スクリューフィーダ１６の搬送距離を、搬送用スクリューフィーダ１８の搬送距離（各スクリューフィーダ１２、１４の合計距離）よりも短くした。
なお、安定した鋳造を実施するためには、鋳型内へ供給される顆粒状パウダーの粉化率を１５質量％以下まで低減するのが好ましい。
このため、図３から、顆粒状パウダーの粉化率に最も影響を及ぼす切出し用スクリューフィーダ１６の搬送距離を７ｍ以下にするのがよいが、他の搬送用スクリューフィーダ１８による粉化率も考慮すれば、切出し用スクリューフィーダ１６の搬送距離を更に短く（５ｍ以下）するのが好ましい。なお、切出し用スクリューフィーダ１６の長さが短くなるに伴い、顆粒状パウダーの粉化率も急激に低下するため、下限値については規定していないが、作業スペースの確保等を考慮すれば、２ｍ（更には３ｍ）程度である。
【実施例】
【００２７】
次に、本発明の作用効果を確認するために行った実施例について説明する。
まず、図４に、図１に示す搬送用スクリューフィーダ１８を構成する各スクリューフィーダ１２、１４と、切出し用スクリューフィーダ１６の運転方法を示す。
ここでは、貯蔵ホッパー１１から中継ホッパー１５までの間に配置された各スクリューフィーダ１２、１４の合計搬送距離を６ｍとし、中継ホッパー１５から投入ホッパー２０までの間に配置された切出し用スクリューフィーダ１６の搬送距離を４ｍとした。
このように、切出し用スクリューフィーダ１６の搬送距離を、搬送用スクリューフィーダ１８の搬送距離よりも短くしている。
【００２８】
また、貯蔵ホッパー１１から中継ホッパー１５までの間の搬送用スクリューフィーダ１８を低稼働とした（低稼働フィーダ）。具体的には、スクリューを４００ｒｐｍの回転数で３分間回転させる連続運転を、２５分間隔で行った。このときの顆粒状パウダーの搬送量は、３分間で２０ｋｇであった。
そして、中継ホッパー１５から投入ホッパー２０までの間の切出し用スクリューフィーダ１６を高稼働とした（高稼働フィーダ）。具体的には、スクリューを９０ｒｐｍの回転数で３０〜４０秒間回転させる連続運転を、３０〜４０秒間隔で間欠的に行った。このときの顆粒状パウダーの搬送量は、１回あたり約１ｋｇであった。
【００２９】
この結果を図５に示す。なお、図５には、中継ホッパー１５を設けることなく、貯蔵ホッパーから投入ホッパーまで１つのスクリューフィーダ（搬送距離：１０ｍ）を配置し、しかもスクリューを９０ｒｐｍの回転数で３０〜４０秒間回転させる短時間運転を、３０〜４０秒間隔で間欠的に行った比較例の結果も示している。
ここでの粉化率は、搬送前の顆粒状パウダーの平均粒径が３００μｍ程度であったため、篩目の大きさが２１０μｍの篩を用いて求めた。
図５から明らかなように、中継ホッパー１５を設け、その上流側に配置した搬送用スクリューフィーダ１８と下流側に配置した切出し用スクリューフィーダ１６の運転方法を変えることで、顆粒状パウダーの粉化率を、目標値である１５質量％以下に抑えることができることを確認できた。なお、比較例では、粉化率が３０質量％程度まで上昇していた。
【００３０】
以上の結果から、本発明の連続鋳造用モールドパウダーの粉化防止方法を用いることで、顆粒状パウダーの粉化を抑制できることを確認できた。
これにより、顆粒状パウダーの鋳型内での溶融速度を安定させることができ、湯面表面に均一な溶融層を形成させて鋳型内面と凝固シェルとの間に流入させ、凝固シェルの生成を安定に促進させることができるので、鋳造を安定に実施できる。
従って、顆粒状パウダーの粉化防止と安定供給の両立が図れ、安定した鋳造を実施できる。
【００３１】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の連続鋳造用モールドパウダーの粉化防止方法を構成する場合も本発明の権利範囲に含まれる。
前記実施の形態においては、貯蔵ホッパーと中継ホッパーとの間に配置される搬送用スクリューフィーダを、直列配置された２つのスクリューフィーダで構成した場合について説明したが、直列配置された３以上（現実的には１０以下）のスクリューフィーダで構成してもよい。この場合、隣合うスクリューフィーダの間に、各スクリューフィーダの下流側端部と上流側端部を接続する連結ホッパーを設ける。
【符号の説明】
【００３２】
１０：連続鋳造用モールドパウダーの搬送設備、１１：貯蔵ホッパー、１２：スクリューフィーダ、１３：連結ホッパー、１４：スクリューフィーダ、１５：中継ホッパー、１６：切出し用スクリューフィーダ（切出し用スクリューコンベア）、１７：旋回装置、１８、１９：搬送用スクリューフィーダ（搬送用スクリューコンベア）、２０：投入ホッパー、２１：投入シュート
【図１】
2010269354.tif 000003
【図２】
2010269354.tif 000004
【図３】
2010269354.tif 000005
【図４】
2010269354.tif 000006
【図５】
2010269354.tif 000007